(57)【要約】      （修正有）【課題】取り付けるにも時間がかからず、安全であり、足先つま先が縄ばしごの桟を踏み外す恐れがない。【解決手段】縄ばしご取り付け金具にてすりを一体化し取り付けた。縄ばしご足掛け桟の各段の両端、縄ばしごの縄の間際に壁面と足掛け桟との間隔保持用の円盤を取り付け足掛け桟が壁面に接しない様に壁面との間隔保持用の軽金属製の円盤を足掛け桟各段に取り付けた。縄ばしご全体を軽量化し縄ばしごの縄以外はアルミニウム等の軽金属製とし、構造も窓枠の敷居にまたがせる形に被せるだけで縄ばしごを階下へ垂れ下げる事が出来、素早く使用可能な状態にする事ができる。【選択図】図３
0003101508.tif 000002
【実用新案登録請求の範囲】
【請求項１】
災害時特に火災時一階で火災が発生すると、階段部分は煙突状態となり階下への階段からの脱出は困難となるため一刻も早く地上へ脱出する事が救命条件であり．本考案の縄梯子を常時窓付近に配備し、いざ災害というときに窓の敷居部分に梯子取り付け金具部分を架けて取り付け金具にセットした縄梯子を階下へ垂らして、取り付け金具兼用の手摺り部分を掴みながら窓から屋外へ後ろ向きに縄梯子へ足を掛け脱出する用具の主要部分各図ともに１．の部分全体の形状。
【請求項２】
縄ばしごの足掛け桟が壁面に付くと桟に足が掛け難い為桟が壁面から間隔を空けて設置される様に桟の両端に間隔空け用の円盤を取り付けた構造。
【考案の詳細な説明】
従来の縄ばしごを取り付け易く、脱出の際安全な体勢で脱出姿勢に入れる様にはしごの桟を足先が踏み外さない様壁面より間隔を空けて固定される様考案。
【考案の属する技術分野】
縄ばしごの改善したもの。
【従来の技術】
従来の縄梯子は設置に手間が掛る、脱出体勢に入る事に手間取る、縄ばしごの縄と壁面との間隔が無い。
【考案が解決しようとする課題】
縄ばしごが壁面に近過ぎると足の裏で桟を踏み外さない様にしたい。
【課題を解決するための手段】
従来の縄ばしごを簡単に安全に窓枠敷居部分に取り付け易く別紙図の様に安全に脱出体勢に入れる様別紙図の様に考案、縄ばしごの桟に足のつま先が安全に掛かる様壁面から間隔が空く様に足掛け桟の両端に円盤を取り付けた。
【考案実施の形態】
災害時火災発生時縄ばしごを使い二階の窓．三階の窓から脱出する訓練をするについて、非難用縄ばしごの使い易い窓、使い難い窓が有る。
【非難用縄ばしごを使い易い窓】
１．窓枠の大きさは引き戸又は開き窓を全開にした状態で開口部の寸法が、縦９０ｃｍ横８０ｃｍ以上有ること。
２．敷居及び壁の厚さが２５ｃｍ位の厚さが有り窓枠から下は壁の場所が望ましい。
３．以上１．２．の条件下、予め脱出用窓の場所を決めて置く方が良い。
【非難用縄ばしごを使い難い窓】
１．窓枠の下に軒庇のある場所は避けるべき。
２．脱出する二階の窓の真下に開口部や窓がある場所は避け脱出用窓には窓下壁面に縄ばしごを垂らす時地面迄の間に障害物突起物がある所。
３．窓枠が９０ｃｍ×９０ｃｍ以下の窓枠。
４．室内床面から窓枠敷居までの高さが高すぎる窓は本考案本体を設置し難い。
【通常時  平素本考案の脱出用縄ばしごの収納状態】
本考案の脱出用縄ばしごは本考案の本体部分の内側に巻きたたみ収納する収納箱は脱出時本考案の脱出用縄ばしごを取り出し窓枠に装着した後はそのまま脱出用足場として使う事ができる。また未使用収納時は、室内調度品として配置できる様に外観を家具調にしている。
【本考案の構造上の特徴】
本考案は日常昼間一家の所帯主または男手の居ない事が多い、女性やお年寄りでも取り出し容易に架設する事ができる様本体の使用材料はアルミを使用し脱出様縄ばしご全体の重量は強度計算を行いつつできる限り軽量化に留意した。
【図面の簡単な説明】
【第１図】本考案正面図
【第２図】本考案側面図
【第３図】本考案斜視図
【符号の説明】
（第一図）１は本考案の本体．明細書で説明の通り本体手摺り部分正面。
２は本考案の本体を使用時窓枠に架けた時内壁戸の隙間とのガタつきを押さえる押さえ盤。
７は押さえ盤を壁面へ押し付けるため押し出し用ネジの取手。
３は本体から縄ばしごを繋ぐジョイント金具（市販品シャックル。
４は縄ばしごの縄。
５は本考案使用時縄ばしご自体が外壁面に接近し過ぎると使用者のつま先が踏み外す恐れがあるので足の裏靴底が梯子の桟を外壁面から間隔を空けて固定するための円盤正面。
８は縄ばしごの桟。
（第２図）１は本考案の本体側面図。
２は本考案の本体を使用時窓枠内壁面に固定する押さえ盤側面。
７は押さえ盤を壁面へ押し付ため押し出しようネジの取手側面。
３は縄はしごの本体から縄ばしごへ連結する金具（シャックルの側面。
４は縄ばしごの縄。
５は本考案使用時縄ばしご自体が外壁面に接近し過ぎないよう外壁面との間隔を固定するための円盤側面。
【図１】
0003101508.tif 000003
【図３】
0003101508.tif 000004
【手続補正書】
【提出日】平成15年11月12日(2003.11.12)
【手続補正１】
【補正対象書類名】明細書
【補正対象項目名】全文
【補正方法】変更
【補正の内容】
【考案の詳細な説明】
【実用新案登録請求の範囲】
【請求項１】縄ばしごの取り付け金具に，手すりを一体化した取り付け金具部分を有する縄ばしご。
【請求項２】足掛け桟と壁面の間隔保持用の軽金属製円盤を取り付けた請求項１記載の縄ばしご。
【考案の詳細な説明】
請求項１は従来の縄ばしごに、手すりを一体化した取り付け金具部分を有する縄ばしご。縄ばしご取り付け金具は単なる釣針形の取りけ金具であるよりもアーチ型または漢字の円の字形の側面を有する手すりを左右一体化構造とする事により強度も強化することが出来，てすりを持ちながら脱出姿勢に入り易い
請求項２は縄ばしごの足掛け桟が壁面に接近しない様に壁面との間隔保持用の軽金属製の円盤を縄ばしごの足掛け桟格段毎に取り付けた縄ばしご。
【技術分野】
縄ばしご
【背景技術】
従来の縄ばしごは縄の強度．難燃．防水．に留意はあるが体勢の安全性が不十分。
【考案が解決しようとする課題】
１．縄ばしごを使用する際足掛け桟に足を掛ける体勢に入るまでの体勢維持が不安定であり安全性の改良。
２．縄ばしごによる脱出体勢に入った時、今度は縄ばしごの足掛け桟に少しでも安全に足の裏で桟をとらえる事ができる足掛け桟が必要でありその改良。
【考案が課題を解決するための手段】
１．縄ばしごを使う際縄ばしご使用体勢及び脱出姿勢に入るまでの体勢維持が不安定であり、この体勢の不安定さを少しでも安定体勢にするため、縄ばしご取り付け金具にてすりを一体化し取り付けた。
２．縄ばしごの足掛け桟に足を掛ける時、足掛け桟と壁面との間隔が接近過ぎない様にし，足の裏で桟を踏み捕らえ易くするため縄ばしご足掛け桟の各段の両端，縄ばしごの縄の間際に壁面と足掛け桟との間隔保持用の円盤を取付け付け足掛け桟が壁面に接しない様に壁面との間隔保持用の軽金属製の円盤を足掛け桟格段に取り付けた。
【考案実施の形態】
考案の縄ばしごは老人や女性にも取り付けられる様縄ばしご全体を軽量化し縄ばしごの縄以外はアルミニユウム等の軽金属製とし、構造も窓枠の敷居にまたがせる形に被せるだけで縄ばしごを階下へ垂れ下げる事が出来、素早く使用可能な状態にする事ができる。
尚脱出時余裕があれば縄ばしご取り付け金具の安定固定ネジ（別紙図）のハンドル（登録請求外）を回し，壁内面より壁面を圧し取り付け金具の固定を、より安定させる事もできる。
【図面の簡単な説明】
【図１】本考案正面図
【図２】本考案左側面図．右側面は左側面と対照。
【図３】本考案斜視図
【符号の説明】
１．は  縄梯子の手すり兼用取り付け金具本体部分正面。
２．は本考案の本体を使用時窓枠に架けた時内壁面とのすき間部分のガタつきを押さえ取り付け金具を安定させる押さえ盤（登録請求外）正面。
３．は縄ばしご取り付け金具に縄ばしごを繋ぐジョイント金具（市販品シャックル．登録請求外）正面。
４．は縄ばしごの縄正面。
５．は繩ばしごの足掛け桟と壁面との間隔保持用軽金属製円盤正面。
６．は上記５．と同内容であるが，不使用収納時収納容積を縮小するため桟の一段おき各段交互に縄の内側と外側に交互に配置した間隔保持用円盤  正面。
７．は．取り付け金具を壁面に押し付け固定する押し付け盤押し付け用ネジの取手（登録請求外）正面。
８．は縄ばしごの足掛け桟  正面。
９．は本考案の縄梯子てすり付き取付け金具本体部分左側面。
１０．は本考案の本体使用時窓枠内壁面に固定し，押さえ盤（登録請求外）左側面。
１１．は押さえ盤を壁面へ押し付ける押し出し用ネジ取手左側面。
１２．は縄ばしご取り付け金具から縄ばしごへ連結する金具（シヤックル．市販品（登録請求外）左側面。
１３．は縄ばしご自体及び足掛け桟が外壁面に接近し過ぎない様にする間隔保持用軽金属製円盤
１４．は上記１３．と同じ内容であるが縄ばしご未使用時収納容積縮小のため足掛け桟の一段おきに縄の内側外側交互に配置した正面右側間隔保持用円盤左側面。
１５．は縄ばしごの縄  左側面。
１６．は足掛け桟左端面左側面。
１７．は本考案縄ばしご取り付け金具本体部分全体斜視。
１８．は本考案本体使用時窓枠敷居または内壁面に本体を圧しつけて安定させる押し付け盤（登録請求外）斜視。
１９．は取り付け金具本体と縄ばしごとを連結するジョイント金具（市販品シャックル）登録請求外．斜視。
２０．は縄ばしごの縄  斜視。
２１．は足掛け桟と壁面との間隔保持用円盤縄の外側面の分  斜視
２２．は上記２１と同内容間隔保持用円盤縄の内側面の分  斜視。
２３．は取り付け金具安定盤押し出し用ネジの取っ手  斜視。
２４．は足掛け桟  斜視。


【手続補正２】
【補正対象書類名】図面
【補正対象項目名】全図
【補正方法】変更
【補正の内容】
0003101508.tif 000005
【図１】
0003101508.tif 000006
【図２】
0003101508.tif 000007
【図３】
0003101508.tif 000008